(57)【特許請求の範囲】
【請求項１】
上下が開口されたホッパ本体の下部開口を、回動するゲートで開閉するホッパであって、
前記ホッパ本体は、両外側面に突設された支点軸を備え、
前記ゲートは、前記ホッパ本体の前記両外側面間の幅よりも大きな間隔をもって対向する対向側部を備え、
前記ゲートの前記対向側部が、前記ホッパ本体の前記両外側面の前記支点軸に回動可能に外嵌され、
前記ホッパ本体の前記外側面と前記対向側部との間に介在されて、前記ゲートの回動軸方向の移動を規制することによって、前記対向側部が前記支点軸から抜け出すのを阻止する規制部材を備え、
前記規制部材は、前記支点軸に外周から係脱可能に係合される、
ことを特徴とするホッパ。
【請求項２】
前記ゲートの前記対向側部は、前記ホッパ本体の前記支点軸に外嵌される支点部に支点ボスを有し、該支点ボスに、鍔付きの軸受が、前記対向側部の内側から挿抜可能に挿入される、
請求項１に記載のホッパ。
【請求項３】
前記ホッパ本体の前記外側面には、装着軸が突設され、
前記規制部材は、回動可能、かつ、挿抜可能に前記装着軸に装着され、
前記規制部材は、前記装着軸周りの回動によって前記支点軸に外周から係脱可能に係合される、
請求項１または２に記載のホッパ。
【請求項４】
前記支点軸に係合した前記規制部材が、支点軸からの離脱方向に変位することを当接阻止するストッパを備える、
請求項１ないし３のいずれかに記載のホッパ。
【請求項５】
前記ホッパ本体の前記外側面には、前記ストッパが着脱可能に外嵌される支持ピンが突設され、
前記ストッパが、前記支持ピンから抜け出すのを阻止する抜け止め具を備える、
請求項４に記載のホッパ。
【請求項６】
互いに逆方向への回動によって前記ホッパ本体の下部開口を開閉する一対の前記ゲートを備え、
前記ホッパ本体の各外側面における各ゲートの各対向側部に対して、前記規制部材を個別に装着すると共に、前記各外側面における両規制部材を、単一の前記ストッパで当接規制する、
請求項４または５に記載のホッパ。
【請求項７】
供給された被計量物を放射状に分散搬送する分散フィーダと、分散搬送された被計量物を外方に向けて搬送する複数のリニアフィーダと、各リニアフィーダによって搬送された被計量物を保持して排出する複数の供給ホッパと、各供給ホッパから排出される被計量物を保持して重量を計測する複数の計量ホッパとを備える組合せ秤であって、
前記供給ホッパ、及び、計量ホッパが、請求項１ないし６のいずれかに記載のホッパである、
ことを特徴とする組合せ秤。
【請求項８】
各計量ホッパから排出される被計量物を保持して排出する複数のメモリホッパを備え、
前記メモリホッパが、請求項１ないし６のいずれかに記載のホッパである、
請求項７に記載の組合せ秤。
【発明の詳細な説明】
【技術分野】
【０００１】
本発明は、各種食品等の被計量物を貯留し、排出するホッパ、及び、これを備えた組合せ秤に関する。
【背景技術】
【０００２】
一般に組合せ秤は、供給される被計量物を分散フィーダによって放射状に分散搬送し、搬送された被計量物を、分散フィーダの周囲に配設された複数のリニアフィーダによって外方に向けて直線的に搬送し、各リニアフィーダの搬送終端にそれぞれ臨む複数の供給ホッパに供給する。各供給ホッパは、被計量物を一旦貯留し、ゲートを開放してその下方に位置する複数の計量ホッパに供給し、複数の計量ホッパで計量された被計量物の重量を種々に組合せた組合せ重量が、所定重量範囲となる計量ホッパの組合せを選択する組合せ演算を行う。この組合せ演算で選択した計量ホッパのゲートを開放して集合シュート等を介して被計量物を下方の包装装置等に排出する。
【０００３】
かかる組合せ秤に用いられる上記供給ホッパ等のホッパとしては、例えば、特許文献１に示すように、ホッパ本体の両外側面に固着した雌ネジ付きのボスに、支点ボルトをネジ込み装着し、支点ボルトに軸受けブッシュを介してゲートの両側を回動可能に支持するように構成したものが知られている。
【先行技術文献】
【特許文献】
【０００４】
【特許文献１】特開２００３−１５５０９６号公報
【発明の概要】
【発明が解決しようとする課題】
【０００５】
食品を計量処理する組合せ秤では、食品衛生上、定期的な洗浄作業が欠かせないものとなっている。また、食品の種類が変更される都度の洗浄作業も必要となる。そのため、組合せ秤においては、被計量物が接触する各種の搬送部材やホッパ類が組合せ秤本体から簡易に取り外して洗浄できるように構成されている。
【０００６】
ホッパ類には、被計量物を貯留、及び、排出するために、上記のようにホッパ本体の両外側面に、ゲートの両側が回動開閉可能に組み付け軸支されている。組合せ秤本体から取り外したホッパを洗浄する場合、細部まで洗浄するためには、ホッパを分解し、ゲートをホッパ本体から取り外すことが望まれる。
【０００７】
しかしながら、上記のように支点ボルトを用いて、ゲートをホッパ本体に組み付けたホッパにおいては、ゲートの取外し及び組付け作業は、スパナなどの工具を用いて支点軸を回動操作する必要があり、手間のかかるものとなる。例えば、ゲートを一対備えたホッパでは、各ゲートが、ホッパ本体の両外側面に支点ボルトでそれぞれ支持されるので、１台のホッパに対して４本の支点ボルトを操作しなければならない。
【０００８】
特に、組合せ秤では、上記のように複数の供給ホッパ及び複数の計量ホッパ等の多数のホッパを備えている。これらの各ホッパを分解して細部まで洗浄し、かつ、洗浄後に組立てるには、極めて多大な時間と手間とを要することになり、洗浄のために組合せ秤を運転休止する時間が相当長いものとなる。
【０００９】
本発明は、このような点に着目してなされたものであって、簡単、かつ、速やかにホッパを分解し、また、組立てることができるホッパ、及び、これを備えた組合せ秤を提供することを目的とする。
【課題を解決するための手段】
【００１０】
上記目的を達成するために、本発明では次のように構成している。
【００１１】
（１）本発明のホッパは、上下が開口されたホッパ本体の下部開口を、回動するゲートで開閉するホッパであって、
前記ホッパ本体は、両外側面に突設された支点軸を備え、
前記ゲートは、前記ホッパ本体の前記両外側面間の幅よりも大きな間隔をもって対向する対向側部を備え、
前記ゲートの前記対向側部が、前記ホッパ本体の前記両外側面の前記支点軸に回動可能に外嵌され、
前記ホッパ本体の前記外側面と前記対向側部との間に介在されて、前記ゲートの回動軸方向の移動を規制することによって、前記対向側部が前記支点軸から抜け出すのを阻止する規制部材を備え、
前記規制部材は、前記支点軸に外周から係脱可能に係合される。
【００１２】
本発明のホッパによると、規制部材は、支点軸に外周から係脱可能に係合されるので、簡単に支点軸から離脱させることができる。規制部材を支点軸から離脱させると、ホッパ本体の両外側面と、この両外側面間の幅よりも大きな間隔もって対向するゲートの両対向側部との間に、規制部材の厚みに相当する大きい隙間ができ、ゲートを、その回動軸方向、すなわち、支点軸の方向に大きく移動させることが可能となるので、支点軸からゲートの対向側部を抜き外してホッパを分解することが可能となる。また、分解したホッパの組立時には、ホッパ本体の両外側面間の幅よりも大きな間隔もって対向するゲートの対向側部を、ホッパ本体の両外側面の支点軸に外嵌し、規制部材を支点軸に外周から係合させて、ホッパ本体の両外側面とゲートの両対向側部との間に生じる隙間を埋めて、対向側部が支点軸から抜け出すのを阻止すればよい。
【００１３】
これによって、ホッパ本体に、支点ボルトを用いてゲートを取付ける従来例のように、スパナなどの工具を用いて支点ボルトを回動操作してホッパを分解したり、組立たりする必要がなく、簡単、かつ、速やかにホッパを分解し、また、組立てることができる。
【００１４】
（２）本発明の好ましい実施態様では、前記ゲートの前記対向側部は、前記ホッパ本体の前記支点軸に外嵌される支点部に支点ボスを有し、該支点ボスに、鍔付きの軸受が、前記対向側部の内側から挿抜可能に挿入される。
【００１５】
この実施態様によると、規制部材を取り外してゲートの対向側部を、支点軸から抜き外す際に、対向側部の支点ボスに挿入されている鍔付きの軸受を、支点ボスから抜くことで、対向側部の支点ボスと支点軸との間に隙間が形成されることになり、この隙間の分だけ支点ボスを支点軸に対して傾けることが可能となる。従って、ゲートを支点軸方向の一方に大きく移動させて、一方の対向側部を一方の支点軸から抜き出した後、他方の支点軸に他方の対向側部が嵌合された状態のゲートを、他方の支点軸に対して傾けることができ、傾けたゲートを支点軸方向の他方に大きく移動させることで、ゲートの他方の対向側部を他方の支点軸から容易に抜き出すことができる。
【００１６】
また、組立ての際には、ゲートを、ホッパ本体の支点軸に対して傾けて、その対向側部を、支点軸に容易に外嵌することができる。
【００１７】
（３）本発明の他の実施態様では、前記ホッパ本体の前記外側面には、装着軸が突設され、前記規制部材は、回動可能、かつ、挿抜可能に前記装着軸に装着され、前記規制部材は、前記装着軸周りの回動によって前記支点軸に外周から係脱可能に係合される。
【００１８】
この実施態様によると、装着軸は支点軸との相対位置が予め設定されて設けられるので、この装着軸に装着された規制部材は、支点軸に対する位置が確定されることになる。従って、装着軸に装着した規制部材を、無造作に回動させても支点軸に外周から確実に係合させることができ、規制部材の組み付け操作が容易なものとなる。
【００１９】
（４）本発明の更に他の実施態様では、前記支点軸に係合した前記規制部材が、支点軸からの離脱方向に変位することを当接阻止するストッパを備える。
【００２０】
この実施態様によると、支点軸に係合された規制部材が、当該ホッパを組合せ秤本体に取り付け操作する際の衝撃や、運転中の開閉による振動、等によって、不用意に支点軸から離脱することがなく、ゲートの移動規制機能を的確に発揮する。
【００２１】
（５）上記（４）の実施態様では、前記ホッパ本体の前記外側面には、前記ストッパが着脱可能に外嵌される支持ピンが突設され、前記ストッパが、前記支持ピンから抜け出すのを阻止する抜け止め具を備えるようにしてもよい。
【００２２】
この実施態様によると、ストッパ自体がズレ動いたり、外れたりすることがなく、規制部材を確実に所定の位置に保持しておくことができると共に、分解時には、抜け止め具を外して、ストッパを簡単に支持ピンから抜き取って、規制部材を取外しできる状態にすることができる。
【００２３】
（６）上記（４）または（５）の実施態様では、互いに逆方向への回動によって前記ホッパ本体の下部開口を開閉する一対の前記ゲートを備え、
前記ホッパ本体の各外側面における各ゲートの各対向側部に対して、前記規制部材を個別に装着すると共に、前記各外側面における両規制部材を、単一の前記ストッパで当接規制するようにしてもよい。
【００２４】
この実施態様によると、一対のゲートを備えた多数のホッパにおいて、分解及び組立てを行う場合、規制部材の個数は相当多くなるが、ストッパはその半分の個数となり、規制部材の個々にストッパを対応させる場合に比べて分解及び組立ての手数が少なくなる。
【００２５】
（７）本発明の組合せ秤は、供給された被計量物を放射状に分散搬送する分散フィーダと、分散搬送された被計量物を外方に向けて搬送する複数のリニアフィーダと、各リニアフィーダによって搬送された被計量物を保持して排出する複数の供給ホッパと、各供給ホッパから排出される被計量物を保持して重量を計測する複数の計量ホッパとを備える組合せ秤であって、
前記供給ホッパ、及び、前記計量ホッパが、上記（１）ないし（６）のいずれかに記載のホッパである。
【００２６】
本発明の組合せ秤によると、組合せ秤に備えられた複数の供給ホッパと複数の計量ホッパとを合わせたホッパ台数は相当多くなるが、ホッパの分解及び組立てを容易にしておくことで、多数のホッパの洗浄作業を、手間少なく短時間で行うことができる。
【００２７】
（８）本発明の好ましい実施態様では、各計量ホッパから排出される被計量物を保持して排出する複数のメモリホッパを備え、
前記メモリホッパが、上記（１）ないし（６）のいずれかに記載のホッパである。
【００２８】
この実施態様によると、メモリホッパを備えるので、ホッパ数が更に多くなるが、各ホッパの分解及び組立てを容易にしておくことで、多数のホッパの洗浄作業を、手間少なく短時間で行うことができる。
【発明の効果】
【００２９】
このように、本発明によれば、ホッパ本体に対してゲートを容易に取外して細部までの洗浄を速やかに行うことができ、また、洗浄後は、簡単、かつ、速やかにゲートをホッパ本体に組み付けることができる。
【００３０】
多数のホッパを備えた組合せ秤においては、多数のホッパの分解、洗浄、及び、組立てに要する運転休止時間を短縮できることで、計量作業の効率向上を図ることができる。
【図面の簡単な説明】
【００３１】
【図１】図１は本発明の一実施形態に係る組合せ秤の概略構成を示す縦断正面図である。
【図２】図２は図１の組合せ秤の斜視図である。
【図３】図３は供給ホッパの斜視図である。
【図４】図４は供給ホッパの平面図である。
【図５】図５は供給ホッパの一方の側面図である。
【図６】図６は供給ホッパの他方の側面図である。
【図７】図７は供給ホッパの背面図である。
【図８】図８はゲートの支点の構造を示す横断平面図である。
【図９】図９は規制部材及びストッパの正面図である。
【図１０】図１０はストッパの支持構造を示す横断平面図である。
【図１１】図１１はゲートの取り外し手順を示す平面図である。
【図１２】図１２はゲートの取り外し手順を示す平面図である。
【図１３】図１３はゲートの取り外し手順を示す平面図である。
【図１４】図１４はゲートの取り外し手順を示す平面図である。
【図１５】図１５は計量ホッパの平面図である。
【図１６】図１６は計量ホッパの一方の側面図である。
【図１７】図１７は計量ホッパの他方の側面図である。
【図１８】図１８は計量ホッパの背面図である。
【図１９】図１９はゲートの支点の構造を示す横断平面図である。
【図２０】図２０はメモリホッパの平面図である。
【図２１】図２１はメモリホッパの一方の側面図である。
【図２２】図２２はメモリホッパの他方の側面図である。
【図２３】図２３はメモリホッパの背面図である。
【図２４】図２４はゲートの支点の構造を示す縦断正面図である。
【図２５】図２５はストッパの支持構造を示す横断平面図である。
【図２６】図２６は集合ホッパの平面図である。
【図２７】図２７は集合ホッパの一方の側面図である。
【図２８】図２８は集合ホッパの他方の側面図である。
【図２９】図２９は集合ホッパの背面図である。
【図３０】図３０はゲートの支点の構造を示す横断平面図である。
【図３１】図３１はストッパの支持構造を示す横断平面図である。
【図３２】図３２はストッパ固定構造の別実施形態であり、（ａ）は斜視図、（ｂ）は側面図である。
【図３３】図３３は規制部材の別実施形態であり、（ａ）は斜視図、（ｂ）は取付け状態の正面図である。
【図３４】図３４は規制部材の他の実施形態である。
【図３５】図３５は規制部材のその他の実施形態であり、（ａ）は斜視図、（ｂ）は取付け状態の正面図である。
【発明を実施するための形態】
【００３２】
以下、本発明の実施形態を図面に基づいて説明する。
【００３３】
図１は、本発明の一実施形態に係る組合せ秤の概略構成を示す縦断正面図であり、図２は図１の組合せ秤の斜視図である。
【００３４】
この実施形態の組合せ秤は、菓子類、その他の食品等の被計量物を所定量ずつ計量して、図示しない包装装置に投入して袋詰めする包装ライン等に利用される。
【００３５】
組合せ秤の中央には、中空柱形に形成されたセンター基体１が、中央部が大きく上下に貫通開口された矩形の基台２に、複数本の脚３を介して支持され、この基台２が床面Ｆに設置固定される。
【００３６】
センター基体１の上部には、供給装置４の終端から落下供給される被計量物を振動によって放射状に分散させる分散フィーダ５が装備されている。この分散フィーダ５の周囲には、分散搬送された被計量物を振動によって外方に向けて直進搬送する複数のリニアフィーダ６が放射状に設けられている。更に、センター基体１の外周部に、各リニアフィーダ６からの被計量物を一旦貯留して排出する供給ホッパ７、供給ホッパ７から排出された被計量物を貯留して重量の計測するための計量ホッパ８、及び、計量ホッパ８で計量された被計量物を受け取って貯留するメモリホッパ９がそれぞれ配設されている。これらリニアフィーダ６、供給ホッパ７、計量ホッパ８、及び、メモリホッパ９を一連とする多数連（この例では２４連）の計量モジュールによって、被計量物の計量、組合せ演算及び排出が行われる。
【００３７】
この例では、多数連（２４連）の計量モジュールにおける四半分の複数連（６連）毎に、それぞれ独立して四系統で被計量物の計量、組合せ演算及び排出が実行されるようになっている。
【００３８】
各計量ホッパ８及びメモリホッパ９の下方には、それらホッパ８，９の被計量物の重量を種々組合せた組合せ重量が、所定重量範囲となるホッパ８，９を選択する組合せ演算によって選択された計量ホッパ８、あるいは、メモリホッパ９から排出された被計量物を集めるための集合シュート１０が配備されている。更に、集合シュート１０の下方には、集合シュート１０から滑落した被計量物を集める漏斗状の集合ファンネル１１が配備される。集合ファンネル１１の下方に、図１に示すように、集合ファンネル１１で集められた被計量物を一旦受け止め貯留し、図示しない包装装置側からの排出要求指令に基づいて開放制御される集合ホッパ１２が配備される。
【００３９】
分散フィーダ５は、図１に示すように、円錐形の分散トレイ１３と、これを振動駆動する電磁式の加振機構１４とを備えている。加振機構１４は、センター基体１の内部に配備された支持フレーム１５の中央に設置されている。なお、加振機構１４は、支持フレーム１５上に設置した重量センサ１６に連結支持されており、分散フィーダ５上の被計量物の重量が重量センサ１６で検知される。検知された情報は、図示しない制御装置に与えられ、制御装置は、その検知情報に基づいて、供給装置４をオン/オフ制御して、分散フィーダ５上に常に設定範囲内の重量の被計量物が供給されるようになっている。
【００４０】
リニアフィーダ６は、内外方向に向かう樋形の搬送トラフ（フィーダパン）１７とこれを振動駆動する電磁式の加振機構１８とから構成されている。加振機構１８が、前記支持フレーム１５に、分散フィーダ５の加振機構１４を囲むように配置されている。そして、搬送トラフ１７の裏側に備えた図示しないバックル方式の連結機構をレバー操作することで、加振機構１８の振動ヘッド部に、搬送トラフ１７を脱着することができるようになっている。
【００４１】
センター基体１の外周部には、供給ホッパ７及び計量ホッパ８のゲート開閉用のモータ（図示せず）及び、計量ホッパ８内の被計量物の重量を計測する重量センサ（図示せず）等を組み込んだ駆動ユニット２０が配設され、この駆動ユニット２０の外方露出箇所に、供給ホッパ７及び計量ホッパ８がフック方式で脱着可能に装着支持される。駆動ユニット２０の下側には、メモリホッパ９のゲート開閉用のモータ（図示せず）を組み込んだ駆動ユニット２１が配設され、この駆動ユニット２１の外方露出箇所に、メモリホッパ９がフック方式で脱着可能に連結支持される。
【００４２】
基台２から下方に延出された支持フレーム２２に、集合ホッパ１２のゲート開閉用のモータ（図示せず）を組み込んだ４台の駆動ユニット２３が装着されており、各駆動ユニット２３に、集合ホッパ１２がそれぞれフック方式で脱着可能に連結支持される。
【００４３】
なお、詳細な構造は図示しないが、供給ホッパ７及び計量ホッパ８を駆動ユニット２０に連結すると同時に、供給ホッパ７及び計量ホッパ８に備えられたゲート開閉用のリンク機構と、駆動ユニット２０に備えられてモータ駆動される駆動アームとを係合連結することができるようになっている。また、メモリホッパ９を駆動ユニット２１に連結すると同時に、メモリホッパ９に備えられたゲート開閉用のリンク機構と、駆動ユニット２１に備えられてモータ駆動される駆動アームとを係合連結することができるようになっている。更に、集合ホッパ１２を駆動ユニット２３に連結すると同時に、集合ホッパ１２に備えられたゲート開閉用のリンク機構と、駆動ユニット２３に備えられてモータ駆動される駆動アームとを係合連結することができるようになっている。
【００４４】
上記のような基本的な構成を有する本実施形態の組合せ秤では、洗浄等のために各駆動ユニット２０，２１，２３から取り外した各ホッパ７〜９，１２の分解及び組立の容易化を図るために、以下のように構成している。なお、以下の説明において、便宜上、センター基体１に近い側を内側（内方）、センター基体１から遠い側を外側（外方）、この内外方向と直交する水平方向を左右方向と呼称する。
【００４５】
〔供給ホッパ７〕
図３〜図１４に、供給ホッパ７の詳細な構造が示されている。図３は供給ホッパ７の斜視図であり、図４は供給ホッパ７の平面図であり、図５は供給ホッパ７の一方の側面図であり、図６は供給ホッパ７の他方の側面図であり、図７は供給ホッパ７の背面図である。
【００４６】
供給ホッパ７は、上下が開口された縦向きの角筒形に形成されたホッパ本体２５における左右の横外側面に、互いに対向する内側のゲート２６と外側のゲート２７とが、それぞれ横向き水平の支点軸２８，２９を介して支点ａ，ｂ周りに回動可能に支持連結されている。この内外のゲート２６，２７を回動させてホッパ本体２５の下部開口を開閉する。ホッパ本体２５の背面には、逆Ｌ形に形成された左右一対の連結ブラケット３０が突設され、この連結ブラケット３０の先端側の上下に、連結ロッド３１が水平に架設されている。そして、図示されていないが、駆動ユニット２０の外部上方に備えられた連結金具の上下フック部に、連結ブラケット３０の各連結ロッド３１をそれぞれ落し込み係合することで、供給ホッパ７を駆動ユニット２０に一定姿勢で連結支持できるようになっている。
【００４７】
内側のゲート２６の左右両側端から対向側部２６ａ，２６ｂが、ホッパ本体２５を挟んで対向するように屈折延出されると共に、これら両対向側部２６ａ，２６ｂの対向間隔である内寸法が、ホッパ本体２５の横幅より大きく設定されている。また、外側のゲート２７も、左右両側端から対向側部２７ａ，２７ｂが、ホッパ本体２５及び内側のゲート２６を挟んで対向するように屈折延出されると共に、これら両対向側部２７ａ，２７ｂの対向間隔である内寸法が、内側のゲート２６を横外側方から抱き込む大きさに設定されている。
【００４８】
内側のゲート２６における一方の対向側部２６ａからは操作アーム３２が背方に向けて延出され、その先端のピン３２ｂには、ローラ３２ａが回動自在に装着されている。このピン３２ｂには、後述の抜け止め具４１と同様の図示しない抜け止め具が装着されている。
【００４９】
この一方の対向側部２６ａと外側のゲート２７の一方の対向側部２７ａから延出されたアーム部２７ｃとが、連係リンク３３を介して回動可能に連結されている。すなわち、連係リンク３３の一端側の連結孔に、一方の対向側部２６ａの連結ピン１９が嵌合され、一方の対向側部２７ａのアーム部２７ｃにキャップ２４を介して取付けられた位置決めピンが、連係リンク３３の他端側の連結孔に嵌合される。
【００５０】
これによって、操作アーム３２を下方に揺動させると、図５、図６の実線で示すように、内外の両ゲート２６，２７が互いに接近回動して、ホッパ本体２５の下部開口を閉じ、操作アーム３２を上方に揺動させることで、図５、図６の仮想線で示すように、内外の両ゲート２６，２７が互いに離反回動して、ホッパ本体２５の下部開口が開かれる。
【００５１】
なお、供給ホッパ７を、上記のように駆動ユニット２０にフック方式で装着すると、これと同時に、操作アーム３２の先端に備えたローラ３２ａが、駆動ユニット２０側にモータ駆動可能に配備されている図示されていない駆動アームの係合溝に係合され、駆動アームが回動作動することで、操作アーム３２が正逆に揺動駆動されるようになっている。
【００５２】
また、ホッパ本体２５の反対側の横外側面には、２つの当接片３４が突設されており、ゲート２６，２７が閉じ方向に回動されると、両ゲート２６，２７における対向側部２６ｂ，２７ｂの上端辺が当接片３４で受止められ、ゲート２６，２７が所定の閉じ姿勢に当接規制されるようになっている。
【００５３】
内外のゲート２６，２７は、ホッパ本体２５への組み付け及び取外しができるように構成されており、以下、そのゲート装着構造について説明する。
【００５４】
図８は、ゲート２６，２７の支点の構造を示す横断平面図である。この図８に示すように、ゲート２６の対向側部２６ａ，２６ｂ、及び、ゲート２７の対向側部２７ａ，２７ｂの支点部には、内向きに突出する支点ボス２６ｄ，２７ｄが固着されている。この支点ボス２６ｄ，２７ｄに、内側から挿入された鍔付きの軸受けブッシュ２６ｅ，２７ｅを介して各ゲート２６，２７が、ホッパ本体２５の支点軸２８，２９に回動及び横スライド可能に嵌合支持されている。
【００５５】
支点軸２８，２９に装着しただけのゲート２６，２７は、左右の対向側部２６ａ，２６ｂ：２７ａ，２７ｂの内寸法とホッパ本体２５の横幅との差によって、ゲート２６，２７が左右に移動できる状態となる。そこで、ホッパ本体２５の横外側面と各ゲート２６，２７の対向側部２６ａ，２６ｂ：２７ａ，２７ｂとの間に、厚さの異なる規制部材３５，３６を介在することで、ゲート２６，２７の回動軸方向、すなわち、支点軸２８，２９に沿う横移動を規制すると共に、支点軸２８，２９からの抜け出しを阻止している。
【００５６】
図９に示すように、規制部材３５，３６は、ホッパ本体２５の横外側面に突設した装着軸３７，３８に回動可能に外嵌装着されている。規制部材３５，３６を装着軸３７，３８周りに回動することで、規制部材３５，３６に備えた凹部３５ａ，３６ａが、図８に示すように、ホッパ本体２５の横外側面と軸受けブッシュ２６ｅ，２７ｅの内端との間において、支点軸２８，２９に外周から係合されるようになっている。
【００５７】
また、支点軸２８，２９に係合された規制部材３５，３６が、不用意に上方に回動して支点軸２８，２９から外れることを阻止するために、ストッパ３９が、ホッパ本体２５の横外側面に脱着可能に装着されている。ストッパ３９は、同一仕様のものがホッパ本体２５の両横外側面にそれぞれ１個ずつ配備されており、各ストッパ３９が一対ずつの規制部材３５，３６に作用する。
【００５８】
ストッパ３９自体は、ホッパ本体２５の両横外側面に一対ずつ突設された支持ピン４０ａ，４０ｂに横側方から嵌合装着されることで、規制部材３５，３６に近接する一定の作用姿勢に保持されるものである。ストッパ３９の支持構造を示す横断平面図である図１０に示すように、一方の支持ピン４０ａの突出部に、線材を屈曲してなる抜け止め具４１を貫通止着することで、ストッパ３９が所定の作用位置に固定される。
【００５９】
以上のように構成された供給ホッパ７は、必要に応じて駆動ユニット２０から取り外して洗浄される。この場合、ゲート２６，２７をホッパ本体２５から取外し分解することで、細部まで容易に洗浄することができる。
【００６０】
ゲート２６，２７の取外し分解手順を、上記図８に対応する図１１〜図１４の平面図等に基づいて説明する。
【００６１】
先ず、支持ピン４０ａから抜け止め具４１を抜き、支持ピン４０ａ，４０ｂからストッパ３９を抜き出し、その後、規制部材３５，３６を装着軸３７，３８周りに上方に回動操作して支点軸２８，２９から離脱させ、ゲート２６，２７の対向側部２６ａ，２６ｂ：２７ａ，２７ｂから外れた位置まで回動した後、規制部材３５，３６を装着軸３７，３８から抜き取る。
【００６２】
このようにホッパ本体２５の左右両側において、全ての規制部材３５，３６を取り外すと、図１１に示すように、内外のゲート２６，２７はそれぞれの支点軸２８，２９に沿って横移動可能となる。
【００６３】
次に、図１２に示すように、外側のゲート２７を左右一方に大きく移動させて、例えば、左右一方の支点軸２９からこれに嵌合していた一方の対向側部２７ａを抜く。この場合、対向側部２７ａ側の軸受けブッシュ２７ｅを、支点ボス２７ｄから内側に抜いて支点軸２９に保持しておく。また、同時に、対向側部２７ａのアーム部２７ｃの位置決めピンを、連係リンク３３の連結孔から抜き出す。
【００６４】
次に、図１３に示すように、ゲート２７を少し逆向きに移動させて、他方の対向側部２７ｂにおける支点ボス２７ｄに挿入されている軸受けブッシュ２７ｅを内側に抜き出し、支点ボス２７ｄと支点軸２９との間に隙間が形成された状態にする。
【００６５】
次に、図１４に示すように、支点ボス２７ｄと支点軸２９との隙間を用いてゲート２７を傾けながら横外方に大きく移動させることで、他方の支点軸２９に嵌合していた対向側部２７ｂを抜き出す。
【００６６】
その後、連係リンク３３の連結孔を、内側のゲート２６の連結ピン１９から外して連係リンク３３を抜き出し、更に、内側のゲート２６を、上記と同様の手順で支点軸２８から抜き出す。
【００６７】
また、洗浄の後、ホッパ本体２５にゲート２６，２７を組み付ける場合は、上記取り外し手順を逆に行うことになる。
【００６８】
すなわち、ホッパ本体２５の左右の支点軸２８に軸受けブッシュ２６ｅを入れて、内側のゲート２６の、例えば、一方の対向側部２６ａを一方の支点軸２８に嵌合させ、ゲート２６を左右他方に移動させて、他方の対向側部２６ｂを他方の支点軸２８に嵌合させて内側のゲート２６を取り付ける。その後、左右の軸受けブッシュ２６ｅを、左右の各対向側部２６ａ，２６ｂの支点ボス２６ｄに挿入し、ホッパ本体２５の横外側面と各対向側部２６ａ，２６ｂの軸受けブッシュ２６ｅとの間に、装着軸３７に装着した規制部材３５を回動させて支点軸２８にそれぞれ係合させる。
【００６９】
次に、連係リンク３３の一端側の連結孔を、一方の対向側部２６ａの連結ピン１９に嵌合させる。
【００７０】
更に、ホッパ本体２５の左右の支点軸２９に軸受けブッシュ２７ｅを入れて、外側のゲート２７の他方の対向側部２７ｂを他方の支点軸２９に嵌合させ、ゲート２７を左右一方に移動させて、一方の対向側部２７ａを他方の支点軸２９に嵌合させると共に、対向側部２７ａから延出されたアーム部２７ｃの位置決めピンを、連係リンク３３の他端側の連結孔に嵌合させて、外側のゲート２７を取り付ける。その後、左右の軸受けブッシュ２７ｅを、左右の各対向側部２７ａ，２７ｂの支点ボス２７ｄに挿入し、ホッパ本体２５の横外側面と各対向側部２７ａ，２７ｂの軸受けブッシュ２７ｅとの間に、装着軸３８に装着した規制部材３６を回動させて支点軸２９にそれぞれ係合させる。更に、ストッパ３９を支持ピン４０ａ，４０ｂに装着し、支持ピン４０ａに抜け止め具４１を挿入して組み付けが終了する。
【００７１】
〔計量ホッパ８〕
図１５〜図１９に、計量ホッパ８の詳細な構造が示されている。図１５は計量ホッパ８の平面図であり、図１６は計量ホッパ８の一方の側面図であり、図１７は計量ホッパ８の他方の側面図であり、図１８は計量ホッパ８の背面図である。
【００７２】
計量ホッパ８において、上記供給ホッパ７と同様の機能を有する対応部分には、同一の参照符号を付して説明する。
【００７３】
計量ホッパ８は、ゲート開閉形態以外は基本的に上記供給ホッパ７と同様に構成されている。上下が開放された縦向きの角筒形に形成されたホッパ本体２５における左右の横外側面に、互いに対向する内側のゲート２６と外側のゲート２７とが、それぞれ横向き水平の支点軸２８，２９を介して支点ａ，ｂ周りに回動可能に支持連結されている。ホッパ本体２５の背面には、左右一対の連結ブラケット３０が突設され、この連結ブラケット３０の先端側の上下に、連結ロッド３１が水平に架設されている。そして、図示されていないが、駆動ユニット２０の重量センサに連係支持された連結金具の上下フック部に、連結ブラケット３０の各連結ロッド３１をそれぞれ落し込み係合することで、計量ホッパ８を駆動ユニット２０に一定姿勢で連結支持できるようになっている。
【００７４】
内側のゲート４６の左右両側端から対向側部２６ａ，２６ｂが、ホッパ本体２５を挟んで対向するように屈折延出されると共に、これら両対向側部２６ａ，２６ｂの対向間隔である内寸法が、ホッパ本体２５の横幅より大きく設定されている。また、外側のゲート２７も、左右両側端から対向側部２７ａ，２７ｂが、ホッパ本体２５及び内側のゲート２６を挟んで対向するように屈折延出されると共に、これら両対向側部２７ａ，２７ｂの対向間隔である内寸法が、内側のゲート２６を横外側方から抱き込む大きさに設定されている。
【００７５】
内側のゲート２６の背部から操作アーム３２が背方に向けて延出されており、その先端部にローラ３２ａが備えられている。この操作アーム３２が上下に揺動されることで、内側のゲート２６が回動されて、ホッパ本体２５の下部開口における内側の開口部分が開閉されるようになっている。
【００７６】
一方の連結ブラケット３０の外側には、屈曲した別の操作アーム４２の屈曲部が、横向きの支点ｃ周りに回動可能に支持連結されている。操作アーム４２は、図示しない抜け止め具の装着によって、連結ブラケット３０から外れないようにしている。この操作アーム４２の一端部と、外側のゲート２７おける一方の対向側部２７ｂから延出されたアーム部２７ｃとが、連係リンク３３を介して連結されており、操作アーム４２の他端部にローラ４２ａが備えられている。
【００７７】
この操作アーム４２が上下に揺動されることで、外側のゲート２７が回動されて、ホッパ本体２５の下部開口における外側の開口部分が開閉されるようになっている。
【００７８】
操作アーム３２のローラ３２ａ及び操作アーム４２のローラ４２ａは、図示しない抜け止め具の装着によって、各アーム３２，４２から外れないようにしている。
【００７９】
なお、計量ホッパ８を上記のように駆動ユニット２０にフック方式で装着すると、これと同時に、操作アーム３２及び操作アーム４２の先端に備えたローラ３２ａ，４２ａが、駆動ユニット２０側にモータ駆動可能に配備されている図示されていない２つの駆動アームの係合溝にそれぞれ係合され、各駆動アームが個別に回動作動されることで、両操作アーム３２，４２が個別に揺動駆動されるようになっている。つまり、内外のゲート２６，２７は、個別に開閉制御されるものであり、上記図１に示されるように、内側のゲート２６が開かれることで、計量した被計量物がメモリホッパ９に供給されて一時貯留され、また、外側のゲート２７が開かれることで、計量した被計量物が直ちに集合シュート１０に排出される。
【００８０】
また、ホッパ本体２５の一方の横外側面には、２つの当接片３４が突設されており、ゲート２６，２７が閉じ方向に回動されると、両ゲート２６，２７における対向側部２６ａ，２７ａの上端辺が当接片３４で受止められ、ゲー２６，２７が所定の閉じ姿勢に当接規制されるようになっている。
【００８１】
内外のゲート２６，２７は、供給ホッパ７と同様な形態でホッパ本体２５に組み付けられており、簡単にホッパ本体２５への組み付け及び分解ができるようになっている。
【００８２】
すなわち、ゲート２６，２７の支点の構造を示す横断平面図である図１９に示すように、ゲート２６の対向側部２６ａ，２６ｂ、及び、ゲート２７の対向側部２７ａ，２７ｂの支点部には、内向きに突出する支点ボス２６ｄ，２７ｄが固着されている。この支点ボス２６ｄ，２７ｄに、内側から嵌入された鍔付きの軸受けブッシュ２６ｅ，２７ｅを介して各ゲート２６，２７が、ホッパ本体２５の支点軸２８，２９に回動及び横スライド可能に嵌合支持されている。
【００８３】
ホッパ本体２５の横外側面と各ゲート２６，２７の対向側部２６ａ，２６ｂ：２７ａ，２７ｂとの間に、所定厚さの規制部材３５，３６を介在することで、ゲート２６，２７の左右移動及び支点軸２８，２９からの抜け出しが阻止されている。
【００８４】
規制部材３５，３６は、図１６及び図１７に示すホッパ本体２５の横外側面に突設した装着軸３７，３８に回動可能に外嵌装着されている。規制部材３５，３６を装着軸３７，３８周りに回動することで、規制部材３５，３６に備えた凹部が、支点軸２８，２９の外周に上方から係合されるようになっている。
【００８５】
また、支点軸２８，２９に係合された規制部材３５，３６が、不用意に上方に回動して支点軸２８，２９から外れることを阻止するために、ストッパ３９ａ，３９ｂがホッパ本体２５の横外側面に脱着可能に装着されている。ストッパ３９ａ，３９ｂは、それぞれ形状の異なったものとなっており、ホッパ本体２５の両横外側面にそれぞれ配備されて、各ストッパ３９ａ，３９ｂが、一対ずつの規制部材３５，３６に作用する。
【００８６】
ストッパ３９ａ，３９ｂ自体は、ホッパ本体２５の両横外側面に一対ずつ突設された支持ピン４０ａ，４０ｂに横側方から嵌合装着されることで、規制部材３５，３６に近接する一定の作用姿勢に保持されるものである。一方の支持ピン４０ａの突出部に、線材を屈曲してなる抜け止め具４１を貫通止着することで、ストッパ３９ａ，３９ｂが所定の作用位置に固定される。
【００８７】
以上のように構成された計量ホッパ８は、必要に応じて駆動ユニット２０から取り外して洗浄される。この場合、ゲート２６，２７もホッパ本体２５から取り外すことで、細部まで洗浄することができる。
【００８８】
ゲート２６，２７の取り外し手順は、供給ホッパ７の場合と同様であり、ストッパ３９ａ，３９ｂ及び規制部材３５，３６を取り外した後、ゲート２６，２７を順次それぞれの支点軸２８，２９から抜き出すことになる。
【００８９】
また、洗浄の後、ホッパ本体２５にゲート２６，２７を組み付ける手順も、供給ホッパ７の場合と同様である。
【００９０】
すなわち、ホッパ本体２５の左右の支点軸２８に軸受けブッシュ２６ｅを入れて内側のゲート２６を支点軸２８に嵌合させ、規制部材３５を支点軸２８に係合させる。次に、操作アーム４２を取付け、更に連係リンク３３を取り付ける。
【００９１】
その後、ホッパ本体２５の左右の支点軸２９に軸受けブッシュ２７ｅを入れて、外側のゲート２７を支点軸２９に嵌合させると共に、連係リンク３３に連結する。更に、規制部材３６を支点軸２９に係合させ、ストッパ３９ａ，３９ｂを装着して抜け止め具４１を挿入する。
【００９２】
〔メモリホッパ９〕
図２０〜図２５に、メモリホッパ９の詳細な構造が示されている。図２０はメモリホッパ９の平面図であり、図２１はメモリホッパ９の一方の側面図であり、図２２はメモリホッパ９の他方の側面図であり、図２３はメモリホッパ９の背面図である。
【００９３】
メモリホッパ９において、上記供給ホッパ７と同様の機能を有する対応部分には、同一の参照符号を付して説明する。
【００９４】
メモリホッパ９は、上下が開口された縦向きの角筒形に形成されたホッパ本体２５における左右の横外側面に、単一のゲート２６が、横向き水平の支点軸２８を介して支点ａ周りに回動可能に支持連結されている。ホッパ本体２５の背面には、左右一対の連結ブラケット３０が突設され、この連結ブラケット３０の先端側の上下に、連結ロッド３１が水平に架設されている。そして、図示されていないが、駆動ユニット２１の外部上方に備えられた連結金具の上下フック部に、連結ブラケット３０の各連結ロッド３１をそれぞれ落し込み係合することで、メモリホッパ９を駆動ユニット２１に一定姿勢で連結支持できるようになっている。
【００９５】
ゲート２６の左右両側端から対向側部２６ａ，２６ｂが、ホッパ本体２５を挟んで対向するように屈折延出されると共に、これら両対向側部２６ａ，２６ｂの対向間隔である内寸法が、ホッパ本体２５の横幅より大きく設定されている。
【００９６】
ゲート２６の背面からは操作アーム３２が背方に向けて延出されており、その先端部にローラ３２ａが備えられている。ローラ３２ａは、図示しない抜け止め具の装着によって、操作アーム３２から外れないようにしている。この操作アーム３２が上下に揺動されることでゲート２６が回動されて、ホッパ本体２５の下部開口が開閉されるようになっている。
【００９７】
なお、メモリホッパ９を上記のように駆動ユニット２１にフック方式で装着すると、これと同時に、操作アーム３２の先端に備えたローラ３２ａが、駆動ユニット２１側にモータ駆動可能に配備されている図示されていない駆動アームの係合溝に係合され、駆動アームが回動作動されることで、操作アーム３２が揺動駆動されるようになっている。
【００９８】
また、ホッパ本体２５の他方の横外側面には、当接片３４が突設されており、ゲート２６が閉じ方向に回動されると、ゲート２６における対向側部２６ａの上端辺が、当接片３４で受止められ、ゲート２６が所定の閉じ姿勢に当接規制されるようになっている。
【００９９】
ゲート２６は、供給ホッパ７と同様な形態でホッパ本体２５に組み付けられており、容易にホッパ本体２５への組み付け及び分解ができるようになっている。
【０１００】
すなわち、ゲート２６の支点の構造を示す横断平面図である図２４に示すように、ゲート２６における対向側部２６ａ，２６ｂの支点部には、内向きに突出する支点ボス２６ｄが固着されている。この支点ボス２６ｄに、内側から嵌入された鍔付きの軸受けブッシュ２６ｅを介してゲート２６が、ホッパ本体２５の支点軸２８に回動及び横スライド可能に嵌合支持されている。
【０１０１】
ホッパ本体２５の横外側面とゲート２６の対向側部２６ａ，２６ｂとの間に、所定厚さの規制部材３５を介在することで、ゲート２６の左右移動及び支点軸２８からの抜け出しが阻止されている。
【０１０２】
規制部材３５は、図２１及び図２２に示されるホッパ本体２５の横外側面に突設した装着軸３７に回動可能に外嵌装着されている。この規制部材３５を装着軸３７周りに回動することで、規制部材３５に備えた凹部が、支点軸２８の外周に上方から係合されるようになっている。
【０１０３】
また、支点軸２８に係合された規制部材３５が、不用意に上方に回動して支点軸２８から外れることを阻止するために、ストッパ３９がホッパ本体２５の横外側面に脱着可能に装着されている。
【０１０４】
ストッパ３９自体は、図２５に示されるように、ホッパ本体２５の両横外側面に一対ずつ突設された支持ピン４０ａ，４０ｂに、横側方から嵌合装着されることで、規制部材３５に係合する一定の作用姿勢に保持される。一方の支持ピン４０ａの突出部に、線材を屈曲してなる抜け止め具４１を貫通止着することで、ストッパ３９が所定の作用位置に固定される。
【０１０５】
以上のように構成されたメモリホッパ９は、必要に応じて駆動ユニット２１から取り外して洗浄される。この場合、ゲート２６もホッパ本体２５から取り外すことで、細部まで洗浄することができる。
【０１０６】
ゲート２６の取り外し手順は、供給ホッパ７の場合と同様であり、ストッパ３９及び規制部材３５を取り外した後、ゲート２６を、ホッパ本体２５の支点軸２８から抜き出すことになる。
【０１０７】
また、洗浄の後、ホッパ本体２５にゲート２６を組み付ける手順も、供給ホッパ７の場合と同様であり、ホッパ本体２５の支点軸２８に取付けた後、規制部材３５及びストッパ３９を装着する。
【０１０８】
〔集合ホッパ１２〕
図２６〜図３１に、集合ホッパ１２の詳細な構造が示されている。図２６は集合ホッパ１２の平面図であり、図２７は集合ホッパ１２の一方の側面図であり、図２８は集合ホッパ１２の他方の側面図であり、図２９は集合ホッパ１２の背面図である。
【０１０９】
集合ホッパ１２において、上記供給ホッパ７と同様の機能を有する対応部分には、同一の参照符号を付して説明する。
【０１１０】
集合ホッパ１２は、基本的に、上記供給ホッパ７と同様の形態に構成されている。上下が開口された縦向きの角筒形に形成されたホッパ本体２５における左右の横外側面に、互いに対向する内側のゲート２６と外側のゲート２７とが、それぞれ横向き水平の支点軸２８，２９を介して支点ａ，ｂ周りに回動可能に支持連結されている。ホッパ本体２５の背面には、左右一対の連結ブラケット３０が突設され、この連結ブラケット３０の先端側の上下に、連結ロッド３１が水平に架設されている。そして、図示されていないが、駆動ユニット２３の外部上方に備えられた連結金具の上下フック部に、連結ブラケット３０の各連結ロッド３１をそれぞれ落し込み係合することで、集合ホッパ１２を駆動ユニット２３に一定姿勢で連結支持できるようになっている。
【０１１１】
内側のゲート２６の左右両側端から対向側部２６ａ，２６ｂが、ホッパ本体２５を挟んで対向するように屈折延出されると共に、これら両対向側部２６ａ，２６ｂの対向間隔である内寸法が、ホッパ本体２５の横幅より大きく設定されている。また、外側のゲート２７も、左右両側端から対向側部２７ａ，２７ｂが、ホッパ本体２５及び内側のゲート２６を挟んで対向するように屈折延出されると共に、これら両対向側部２７ａ，２７ｂの対向間隔である内寸法が、内側のゲート２６を横外側方から抱き込む大きさに設定されている。
【０１１２】
外側のゲート２７の背面からは操作アーム３２が背方に向けて延出されており、その先端部にローラ３２ａが備えられている。
【０１１３】
図２７に示すように、外側のゲート２７における一方の対向側部２７ａから延出されたアーム部２７ｃと、内側のゲート２６における一方の対向側部２６ａとが、連係リンク３３ａを介して回動可能に連結されている。他方、図２８に示すように、外側のゲート２７における他方の対向側部２７ｂと、内側のゲート２６における他方の対向側部２６ｂとが、連係リンク３３ｂを介して回動可能に連結されている。
【０１１４】
従って、操作アーム３２を下方に揺動させると、内外の両ゲート２６，２７が互いに接近回動して、ホッパ本体２５の下部開口を閉じ、操作アーム３２を上方に揺動させることで、内外の両ゲート２６，２７が互いに離反回動して、ホッパ本体２５の下部開口が開かれる。
【０１１５】
なお、集合ホッパ１２を、上記のように駆動ユニット２３にフック方式で装着すると、これと同時に、操作アーム３２の先端に備えたローラ３２ａが、駆動ユニット２３側にモータ駆動可能に配備されている図示されていない駆動アームの係合溝に係入され、駆動アームが回動作動することで、操作アーム３２が正逆に揺動駆動されるようになっている。
【０１１６】
また、ホッパ本体２５の他方の横外側面には、当接片３４が突設されており、ゲート２７が閉じ方向に回動されると、ゲート２７における対向側部２７ｂの上端が、当接片３４で受止められ、ゲート２７，２６が所定の閉じ姿勢に当接規制されるようになっている。
【０１１７】
内外のゲート２６，２７は、簡単にホッパ本体２５への組み付け及び分解ができるように構成されており、以下、そのゲート装着構造について説明する。
【０１１８】
ゲート２６，２７の支点の構造を示す横断平面図である図３０に示すように、ゲート２６の対向側部２６ａ，２６ｂ、及び、ゲート２７の対向側部２７ａ，２７ｂの支点部には、内向きに突出する支点ボス２６ｄ，２７ｄが固着されている。この支点ボス２６ｄ，２７ｄに、内側から嵌入された鍔付きの軸受けブッシュ２６ｅ，２７ｅを介して各ゲート２６，２７が、ホッパ本体２５の支点軸２８，２９に回動及び横スライド可能に嵌合支持されている。
【０１１９】
支点軸２８，２９に装着しただけのゲート２６，２７は、左右の対向側部２６ａ，２６ｂ：２７ａ，２７ｂの内寸法とホッパ本体２５の横幅との差によって、ゲート２６，２７が左右に移動できる状態となる。そこで、ホッパ本体２５の横外側面と各ゲート２６，２７の対向側部２６ａ，２６ｂ：２７ａ，２７ｂとの間に、所定厚さの規制部材３５ａ，３５ｂ：３６ａ，３６ｂを介在することで、ゲート２６，２７の左右移動及び支点軸２８，２９からの抜け出しを阻止している。
【０１２０】
図２７に示すように、対向側部２６ａ，２７ａ側に位置する規制部材３５ａ，３６ａは、供給ホッパ７に用いられているものと同様の形状のものがそれぞれ使用されている。すなわち、規制部材３５ａ，３６ａは、ホッパ本体２５の横外側面に並列突設した装着軸３７，３８に回動可能に外嵌装着されている。この規制部材３５ａ，３６ａを装着軸３７，３８周りに回動することで、それぞれが支点軸２８，２９の外周に係合されるようになっている。
【０１２１】
図２８に示すように、対向側部２６ｂ，２７ｂ側に位置する規制部材３５ｂ，３６ｂのうち、支点軸２８に対応する規制部材３５ｂは、供給ホッパ７に用いられているものと同等の形状のものが使用されているのに対して、支点軸２９に対応する規制部材３６ｂは、支点軸２８用の規制部材３５ｂとは形状の異なったものが使用されている。そして、支点軸２９用の規制部材３６ｂは、装着軸３７よりも高い位置に設けた装着軸３８に、回動可能に外嵌装着されている。各規制部材３５ｂ，３６ｂを装着軸３７，３８周りに回動することで、それぞれが支点軸２８，２９の外周に係合されるようになっている。
【０１２２】
また、支点軸２８，２９に係合された規制部材３５ａ，３５ｂ：３６ａ，３６ｂが不用意に回動して支点軸２８，２９から外れることを阻止するために、ストッパ３９ａ，３９ｂが、ホッパ本体２５の横外側面に脱着可能に装着されている。
【０１２３】
対向側部２６ａ，２７ａ側に位置するストッパ３９ａは、供給ホッパ７に用いられているものと同様な形状のものが使用されており、ホッパ本体２５の横外側面に並列突設された支持ピン４０ａ、４０ｂに横側方から嵌合装着されることで、規制部材３５ａ，３６ａに近接する一定の作用姿勢に保持される。そして、一方の支持ピン４０ａの突出部に、線材を屈曲してなる抜け止め具４１を貫通止着することで、ストッパ３９ａが所定の作用位置に固定される。
【０１２４】
他方、対向側部２６ｂ，２７ｂ側に位置するストッパ３９ｂは、規制部材３６ｂを回動可能に支持する高位置の装着軸３８と、ホッパ本体２５の横外側面に突設された支点ピン４０とに亘って横側方から嵌合装着されている。そして、このストッパ３９ｂは、規制部材３５ｂには上方から近接対向し、規制部材３６ｂに対しては、図２８及び図３１に示すように、段差部位ｄでの対向によって、規制部材３６ｂが、装着軸３８周りに回動することを当接阻止するようになっている。
【０１２５】
以上のように構成された集合ホッパ１２は、必要に応じて駆動ユニット２３から取り外して洗浄される。この場合、ゲート２６，２７もホッパ本体２５から取り外すことで、細部まで洗浄することができる。
【０１２６】
ゲート２６，２７の取り外し手順は、供給ホッパ７の場合と同様であり、ストッパ３９ａ，３９ｂ、及び、規制部材３５ａ，３５ｂ：３６ａ，３６ｂを取り外した後、連係リンク３３ａ，３３ｂ、及び、各ゲート２６，２７をそれぞれの支点軸２８，２９から抜き外すことになる。
【０１２７】
また、洗浄の後、ホッパ本体２５にゲート２６，２７を組み付ける手順も、供給ホッパ７の場合と同様であり、ホッパ本体２５の支点軸２８に内側のゲート２６を嵌合し、規制部材３５を装着し、連係リンク３３ａ，３３ｂを取り付ける。その後、ホッパ本体２５の支点軸２９に、外側のゲート２７を嵌合すると共に、連係リンク３３ａ，３３ｂに連結する。更に、規制部材３６を装着して、ストッパ３９ａ，３９ｂを取付ける。
【０１２８】
［他の実施形態］
本発明は、以下のような形態で実施することもできる。
【０１２９】
（１）規制部材３５，３６の外れを阻止するストッパ３９の固定手段として、例えば、図３２に示すように、ホッパ本体２５の横側面に、帯板バネ材からなる係止片（抜け止め具）４４を片持ち状に固定し、係止片４４の段部４４ａでストッパ３９の上端角部を係止するようにしてもよい。
【０１３０】
これによると、支持ピン４０にストッパ３９を挿嵌してゆくことで、係止片４４がストッパ３９で押し上げ弾性変形し、所定の位置までストッパ３９が移動すると、係止片４４が弾性復元して段部４４ａがストッパ３９の上端角部に自動係止することになる。また、係止片４４の先端部４４ｂを手指で持上げて強制的に変形させることで、ストッパ３９を支持ピン４０から抜き外すことができる。これによると、ストッパ固定保持用の抜け止め具を紛失するおそれがなくなる。
【０１３１】
（２）図３３に示すように、厚さの異なる段差状に形成した単一の規制部材３５を、両支点軸２８，２９に上方から係合装着して、ストッパ３９で外れ止めをする形態で実施することもできる。
【０１３２】
（３）図３４に示すように、規制部材３５，３６を多少弾性変形可能な硬質樹脂材で形成すると共に、支点軸２８，２９への係合用の係合凹部３５ａ，３６ａを、その入口が支点軸２８，２９の外径より若干小さい奥広がりの形状にし、規制部材３５，３６を装着軸３７，３８周りに回動させて支点軸２８，２９の外周に圧着することで、係合凹部３５ａ，３６ａの入口を弾性的に拡大変形させながら支点軸２８，２９に外嵌させることもできる。これによると、支点軸２８，２９に装着された規制部材３５，３６は、人為的に上方回動操作しない限り、多少の衝撃や運転中の振動程度の外力では不用意に外れることはなく、上記したストッパ３９は特に必要としなくなる。
【０１３３】
（３）上記別実施形態（２）の変形例として、例えば、図３５に示すように、単一の規制部材３５に各支点軸２８，２９に対する一対の係合凹部３５ｃ，３５ｄを備えると共に、一方の係合凹部３５ｃのみの入口を弾性変形可能にし、弾性変形しない他方の係合凹部３５ｄを一方の支点軸２９に係合させた後、この支点軸２９周りに規制部材３５を回動させ、他方の支点軸２８に係合凹部３５ｃを弾性係合する形態とすることもできる。これによると、上記各実施形態では必要であった規制部材用の装着軸３７，３８、ストッパ３９、支点ピン４０ａ，４０ｂ、抜け止め具４１が不要となり、部品点数を節減することができると共に、ホッパ本体２５への装着軸３７，３８や支点ピン４０ａ，４０ｂの溶接加工も不要となり、製造コストの削減に有効となる。
【０１３４】
（４）上記実施形態では、メモリホッパ９を備えた仕様の組合せ秤を例示しているが、本発明を、メモリホッパ９を備えない仕様の組合せ秤で実施してもよい。
【符号の説明】
【０１３５】
５                分散フィーダ
６                リニアフィーダ
７                供給ホッパ
８                計量ホッパ
９                メモリホッパ
１２              集合ホッパ
２０              駆動ユニット
２１              駆動ユニット
２３              駆動ユニット
２５              ホッパ本体
２６              ゲート
２６ａ            対向側部
２６ｂ            対向側部
２６ｄ            支点ボス
２６ｅ            軸受けブッシュ
２７              ゲート
２７ａ            対向側部
２７ｂ            対向側部
２７ｄ            支点ボス
２７ｅ            軸受けブッシュ
２８              支点軸
２９              支点軸
３７              装着軸
３８              装着軸
３５              規制部材
３６              規制部材
３９              ストッパ
４０ａ            支持ピン
４０ｂ            支持ピン
４１              抜け止め具
【図１】
0006465356.tif 000002
【図２】
0006465356.tif 000003
【図３】
0006465356.tif 000004
【図４】
0006465356.tif 000005
【図５】
0006465356.tif 000006
【図６】
0006465356.tif 000007
【図７】
0006465356.tif 000008
【図８】
0006465356.tif 000009
【図９】
0006465356.tif 000010
【図１０】
0006465356.tif 000011
【図１１】
0006465356.tif 000012
【図１２】
0006465356.tif 000013
【図１３】
0006465356.tif 000014
【図１４】
0006465356.tif 000015
【図１５】
0006465356.tif 000016
【図１６】
0006465356.tif 000017
【図１７】
0006465356.tif 000018
【図１８】
0006465356.tif 000019
【図１９】
0006465356.tif 000020
【図２０】
0006465356.tif 000021
【図２１】
0006465356.tif 000022
【図２２】
0006465356.tif 000023
【図２３】
0006465356.tif 000024
【図２４】
0006465356.tif 000025
【図２５】
0006465356.tif 000026
【図２６】
0006465356.tif 000027
【図２７】
0006465356.tif 000028
【図２８】
0006465356.tif 000029
【図２９】
0006465356.tif 000030
【図３０】
0006465356.tif 000031
【図３１】
0006465356.tif 000032
【図３２】
0006465356.tif 000033
【図３３】
0006465356.tif 000034
【図３４】
0006465356.tif 000035
【図３５】
0006465356.tif 000036